(57)【要約】【課題】出入口の下部において雨水等を堰き止める堰止壁を簡単に構築できるようにする。【解決手段】建造物１の出入口２において水を堰き止める堰止構造１０は、防水面材６０と、出入口２の内縁に取り付けられた防水シート５０と、前記防水面材６０を前記防水シート５０に連結する防水ファスナー７０と、を備える。前記防水面材６０が前記防水ファスナー７０によって前記防水シート５０に連結されることによって、前記防水面材６０及び前記防水シート５０からなる堰止壁が前記出入口２内に広げられた状態に、且つ前記出入口２の床部３に立てられた状態に設けられる。【選択図】図１
2015151693.tif 000002
【特許請求の範囲】
【請求項１】
建造物の出入口において水を堰き止める堰止構造であって、
防水面材と、
出入口の内縁に取り付けられた防水シートと、
前記防水面材を前記防水シートに連結する防水ファスナーと、を備え、
前記防水面材が前記防水ファスナーによって前記防水シートに連結されることによって、前記防水面材及び前記防水シートからなる堰止壁が前記出入口内に広げられた状態に、且つ前記出入口の床部に立てられた状態に設けられることを特徴とする堰止構造。
【請求項２】
請求項１に記載の堰止構造であって、
前記防水シートが前記出入口の左側部、床部及び右側部のうち少なくとも前記左側部及び前記右側部に取り付けられ、
前記防水面材が前記防水ファスナーによって前記防水シートに連結されることによって、前記堰止壁が前記左側部と前記右側部の間において前記床部に立てられた状態に設けられる
ことを特徴とする堰止構造。
【請求項３】
請求項２に記載の堰止構造において、
前記防水シートが可撓性を有し、前記防水シートが前記左側部、前記床部及び前記右側部に沿うＵ字型の帯状に形成され、前記防水シートの外縁が前記左側部、前記床部及び前記右側部に水密性を有する状態に取り付けられ、
前記防水ファスナーの第一エレメント列が前記防水シートの内側の縁に沿って設けられ、前記防水ファスナーの第二エレメント列が前記防水面材の左縁、下縁及び右縁に沿って設けられ、
非常時には、前記第一エレメント列と前記第二エレメント列が噛み合って前記防水面材の左縁、下縁及び右縁が前記防水シートの内側の縁に連結されることによって、前記堰止壁が形成され、
通常時には、前記第一エレメント列と前記第二エレメント列の噛み合いが解除されることによって、前記防水面材が前記防水シートから外れる
ことを特徴とする堰止構造。
【請求項４】
請求項３に記載の堰止構造において、
通常時には、前記防水シートが折り畳まれた状態でカバーによって覆われている
ことを特徴とする堰止構造。
【請求項５】
請求項２に記載の堰止構造において、
前記防水シートが左右一対あり、これら防水シートが前記出入口の前記左側部及び前記右側部にそれぞれ水密性を有する状態に取り付けられ、
前記防水ファスナーの第一エレメント列が一対の前記防水シートの内側の縁に沿ってそれぞれ設けられ、
前記防水ファスナーの第二エレメント列が前記防水面材の左縁及び右縁に沿ってそれぞれ設けられ、
非常時には、前記第一エレメント列と前記第二エレメント列が噛み合って前記防水面材の左縁及び右縁が前記防水シートの内側の縁にそれぞれ連結されることによって、前記堰止壁が形成され、
通常時には、前記第一エレメント列と前記第二エレメント列の噛み合いが解除されることによって、前記防水面材の左縁及び右縁が前記防水シートの内側の縁から外れる
ことを特徴とする堰止構造。
【請求項６】
請求項５に記載の堰止構造において、
前記床部に対して着脱可能な止水部材が前記防水面材の下部に取り付けられ、
非常時には、前記止水部材が水密性をもって前記床部に設けられるとともに、前記第一エレメント列と前記第二エレメント列が噛み合い、
通常時には、前記第一エレメント列と前記第二エレメント列の噛み合いが解除されるとともに、前記止水部材が前記床部から外れる
ことを特徴とする堰止構造。
【請求項７】
請求項６に記載の堰止構造において、
前記床部に形成された凹部が前記左側部から前記右側部にかけて横切り、
前記止水部材が板状の止水板であり、
非常時には、前記止水板が前記凹部に嵌め込まれ、
通常時には、前記止水板が前記凹部から外れる
ことを特徴とする堰止構造。
【請求項８】
請求項５に記載の堰止構造において、
前記床部に形成された凹部が前記左側部から前記右側部にかけて横切り、
前記防水面材が前記凹部内に水密性をもって取り付けられ、
非常時には、前記防水面材が前記凹部から上に引き伸ばされるとともに、前記第一エレメント列と前記第二エレメント列が噛み合い、
通常時には、前記第一エレメント列と前記第二エレメント列の噛み合いが解除されるとともに、前記防水面材が折られた状態で前記凹部に収納される
ことを特徴とする堰止構造。
【請求項９】
請求項８に記載の堰止構造において、
通常時には、前記凹部にカバーが被せられる
ことを特徴とする堰止構造。
【請求項１０】
建造物の出入口において水を堰き止める堰止方法であって、
前記出入口の内縁に取り付けられた防水シートに防水ファスナーによって防水面材を連結することによって前記防水面材及び前記防水シートを張った状態に設け、前記防水面材及び前記防水シートからなる堰止壁を前記出入口の床部に立てた状態に設けることを特徴とする堰止方法。
【請求項１１】
建造物の出入口の側部に防水面材を取り付けるための防水面材の取付構造において、
防水シートが前記出入口の側部に取り付けられ、前記防水面材の側縁が防水ファスナーによって前記防水シートの縁に着脱可能に連結されることを特徴とする防水面材の取付構造。
【発明の詳細な説明】
【技術分野】
【０００１】
本発明は、堰止構造及び堰止方法並びに防水面材の取付構造に関し、特に雨水等を出入口で堰き止めて、雨水等の浸入を防止する技術に関する。
【背景技術】
【０００２】
特許文献１には、建造物の出入口の堰止・防水に関する技術が次の通りに開示されている（以下、特許文献１で使用した符号を括弧をして用いる。）。つまり、収納溝（１）が出入口の床（２）に形成され、支持枠（４）が出入口の側部（３）に設けられ、シート（９）の下端が収納溝（１）に連繋し、シート（９）の上端が蓋体（５）に連繋し、その蓋体（５）が支持枠（４）によってガイドされて昇降可能に設けられている。通常時には、シート（９）を折り畳んで収納溝（１）に収納し、蓋体（５）によって収納溝（１）を塞ぐ。豪雨等の非常時には、蓋体（５）を上方へスライドさせることによって、シート（９）を収納溝（１）から上へ引き出して、そのシート（９）を伸ばし、そのシート（９）の左右両端をフレーム（１１）と支持枠（４）の間に挟んで、そのフレーム（１１）をネジ等の止着具（１０）によって支持枠（４）に固定し、シート（９）によって雨水を堰き止める。
【先行技術文献】
【特許文献】
【０００３】
【特許文献１】特開２００１−３４２７８０号公報
【発明の概要】
【発明が解決しようとする課題】
【０００４】
特許文献１に記載の技術では、シート（９）の左右両端を支持枠（４）に固定する際に、手でフレーム（１１）を支持枠（４）に押さえ付けて、止着具（１０）をドライバー等によって締結する必要がある。そのため、シート（９）の左右両端を支持枠（４）に固定して、シート（９）を広げた状態にしてシート（９）によって水を堰き止める作業が繁雑である。
【０００５】
そこで、本発明が解決しようとする課題は、出入口の下部において雨水等を堰き止める堰止壁を簡単に構築できるようにすることである。
【課題を解決するための手段】
【０００６】
上記課題を解決するための請求項１に係る発明は、例えば図１、図１５又は図２０に示すように、建造物１（１０１，２０１）の出入口２（１０２，２０２）において水を堰き止める堰止構造１０（１１０，２１０）であって、防水面材６０（１６０，２６０）と、出入口２（１０２，２０２）の内縁に取り付けられた防水シート５０（１５０，２５０）と、前記防水面材６０（１６０，２６０）を前記防水シート５０（１５０，２５０）に連結する防水ファスナー７０（１７０，２７０）と、を備え、前記防水面材６０（１６０，２６０）が前記防水ファスナー７０（１７０，２７０）によって前記防水シート５０（１５０，２５０）に連結されることによって、前記防水面材６０（１６０，２６０）及び前記防水シート５０（１５０，２５０）からなる堰止壁が前記出入口２（１０２，２０２）内に広げられた状態に、且つ前記出入口２（１０２，２０２）の床部３（１０３，２０３）に立てられた状態に設けられることを特徴とする堰止構造１０（１１０，２１０）である。
【０００７】
請求項２に係る発明は、例えば図１、図１５又は図２０に示すように、請求項１に記載の堰止構造１０（１１０，２１０）であって、前記防水シート５０（１５０，２５０）が前記出入口２（１０２，２０２）の左側部４（１０４，２０４）、床部３（１０３，２０３）及び右側部４（１０４，２０４）のうち少なくとも前記左側部４（１０４，２０４）及び前記右側部４（１０４，２０４）に取り付けられ、前記防水面材６０（１６０，２６０）が前記防水ファスナー７０（１７０，２７０）によって前記防水シート５０（１５０，２５０）に連結されることによって、前記堰止壁が前記左側部４（１０４，２０４）と前記右側部４（１０４，２０４）の間において前記床部３（１０３，２０３）に立てられた状態に設けられることを特徴とする堰止構造１０（１１０，２１０）である。
【０００８】
請求項１，２に係る発明によれば、防水ファスナー７０（１７０，２７０）を用いたので、防水シート５０（１５０，２５０）に対して防水面材６０（１６０，２６０）を簡単に着脱することができる。つまり、防水ファスナー７０（１７０，２７０）によって防水面材６０（１６０，２６０）を防水シート５０（１５０，２５０）に連結すれば、防水面材６０（１６０，２６０）及び防水シート５０（１５０，２５０）からなる堰止壁を簡単に構築することができ、防水ファスナー７０（１７０，２７０）による防水面材６０（１６０，２６０）と防水シート５０（１５０，２５０）の連結を解除すれば、堰止壁を簡単に解体することができる。
防水ファスナー７０（１７０，２７０）を利用したので、防水面材６０（１６０，２６０）と防水シート５０（１５０，２５０）との連結部における止水性・水密性を防水ファスナー７０（１７０，２７０）によって実現することができ、防水面材６０（１６０，２６０）及び防水シート５０（１５０，２５０）からなる堰止壁の遮水性を高く実現することができる。
防水ファスナー７０（１７０，２７０）による防水面材６０（１６０，２６０）と防水シート５０（１５０，２５０）の連結を解除すれば、防水面材６０（１６０，２６０）を防水シート５０（１５０，２５０）から外すことによって、防水シート５０（１５０，２５０）を折り畳むことができる。そのため、防水シート５０（１５０，２５０）が出入口２（１０２，２０２）の通行の邪魔になることを防止することができる。
【０００９】
請求項３に係る発明は、例えば図１に示すように、請求項２に記載の堰止構造１０において、前記防水シート５０が可撓性を有し、前記防水シート５０が前記左側部４、前記床部３及び前記右側部４に沿うＵ字型の帯状に形成され、前記防水シート５０の外縁が前記左側部４、前記床部３及び前記右側部４に水密性を有する状態に取り付けられ、前記防水ファスナー７０の第一エレメント列７１が前記防水シート５０の内側の縁に沿って設けられ、前記防水ファスナー７０の第二エレメント列７２が前記防水面材６０の左縁、下縁及び右縁に沿って設けられ、非常時には、前記第一エレメント列７１と前記第二エレメント列７２が噛み合って前記防水面材６０の左縁、下縁及び右縁が前記防水シート５０の内側の縁に連結されることによって、前記堰止壁が形成され、通常時には、前記第一エレメント列７１と前記第二エレメント列７２の噛み合いが解除されることによって、前記防水面材６０が前記防水シート５０から外れることを特徴とする堰止構造１０である。
【００１０】
請求項３に係る発明によれば、防水ファスナー７０の第一エレメント列７１と第二エレメント列７２の噛み合いによって防水面材６０の左右の縁及び下の縁を防水シート５０の内側の縁に連結することができる。よって、防水面材６０の左右及び下の縁と防水シート５０の内側の縁との間における止水性及び水密性を実現することができ、堰止壁の遮水性を高く実現することができる。
Ｕ字型帯状に形成された防水シート５０の外縁が出入口の左側部４、床部３及び右側部４に水密性を有する状態に取り付けられるので、堰止壁と出入口２の内縁との間における止水性・水密性を実現することができる。
また、防水ファスナー７０の開閉によって堰止壁の構築及び解体を簡単に行うことができる。
【００１１】
請求項４に係る発明は、請求項３に記載の堰止構造１０において、通常時には、前記防水シート５０が折り畳まれた状態でカバー８０，９０によって覆われていることを特徴とする堰止構造１０である。
【００１２】
請求項４に係る発明によれば、防水シート５０が折り畳まれた状態でカバー８０，９０によって覆われることによって、防水シート５０が出入口２の通行の邪魔になるようなことを防止することができる。更に、防水シート５０が隠れるので、出入口２の見栄えが良い。
【００１３】
請求項５に係る発明によれば、例えば図１５又は図２０に示すように、請求項２に記載の堰止構造において、前記防水シート１５０（２５０）が左右一対あり、これら防水シート１５０（２５０）が前記出入口１０２（２０２）の前記左側部１０４（２０４）及び前記右側部１０４（２０４）にそれぞれ水密性を有する状態に取り付けられ、前記防水ファスナー１７０（２７０）の第一エレメント列１７１（２７１）が一対の前記防水シート１５０（２５０）の内側の縁に沿ってそれぞれ設けられ、前記防水ファスナー１７０（２７０）の第二エレメント列１７２（２７２）が前記防水面材１６０（２６０）の左縁及び右縁に沿ってそれぞれ設けられ、非常時には、前記第一エレメント列１７１（２７１）と前記第二エレメント列１７２（２７２）が噛み合って前記防水面材１６０（２６０）の左縁及び右縁が前記防水シート１５０（２５０）の内側の縁にそれぞれ連結されることによって、前記堰止壁が形成され、通常時には、前記第一エレメント列１７１（２７１）と前記第二エレメント列１７２（２７２）の噛み合いが解除されることによって、前記防水面材１６０（２６０）の左縁及び右縁が前記防水シート１５０（２５０）の内側の縁から外れることを特徴とする堰止構造である。
【００１４】
請求項５に係る発明によれば、防水ファスナー１７０（２７０）の第一エレメント列１７１（２７１）と第二エレメント列１７２（２７２）の噛み合いによって防水面材１６０（２６０）の左右の縁を一対の防水シート１５０（２５０）にそれぞれ連結することができる。よって、防水面材１６０（２６０）の左右の縁と防水シート１５０（２５０）との間における止水性及び水密性を実現することができ、堰止壁の遮水性を高く実現することができる。
左右一対の防水シート１５０（２５０）が出入口１０２（２０２）の左側部１０４（２０４）及び右側部１０４（２０４）にそれぞれ水密性を有する状態に取り付けられるので、堰止壁と出入口１０２（２０２）の左右側部との間における止水性・水密性を実現することができる。
【００１５】
請求項６に係る発明は、例えば図１５に示すように、請求項５に記載の堰止構造１１０において、前記床部１０３に対して着脱可能な止水部材１６１（１６３）が前記防水面材の下部に取り付けられ、非常時には、前記止水部材１６１（１６３）が水密性をもって前記床部１０３に設けられるとともに、前記第一エレメント列１７１と前記第二エレメント列１７２が噛み合い、通常時には、前記第一エレメント列１７１と前記第二エレメント列１７２の噛み合いが解除されるとともに、前記止水部材１６１（１６３）が前記床部１０３から外れることを特徴とする堰止構造１１０である。
【００１６】
請求項６に係る発明によれば、止水部材１６１（１６３）が水密性をもって床部１０３に設けられることによって堰止壁の下部と床部１０３との間における止水性を実現することができる。止水部材１６１（１６３）が床部１０３から外れて、第一エレメントと第二エレメントの噛み合いが解除されると、堰止壁が解体され、防水面材を出入口から外すことができる。
【００１７】
請求項７に係る発明によれば、請求項６に記載の堰止構造１１０において、前記床部１０３に形成された凹部１３３が前記左側部１０４から前記右側部１０４にかけて横切り、前記止水部材１６１が板状の止水板であり、非常時には、前記止水板１６１が前記凹部１３３に嵌め込まれ、通常時には、前記止水板１６１が前記凹部１３３から外れることを特徴とする堰止構造１１０である。
【００１８】
請求項７に係る発明によれば、止水部材１６１としての止水板が床部１０３の凹部１３３に嵌め込まれることによって、止水板１６１と床部１０３との間における止水性・水密性を高く実現することができる。止水板１６１が凹部から外れて、第一エレメント列１７１と第二エレメント列１７２の噛み合いが解除されると、堰止壁が解体され、防水面材１６０を出入口１０２から外すことができる。
【００１９】
請求項８に係る発明は、請求項５に記載の堰止構造２１０において、前記床部２０３に形成された凹部２３３が前記左側部２０４から前記右側部２０４にかけて横切り、前記防水面材２６０が前記凹部２３３内に水密性をもって取り付けられ、非常時には、前記防水面材２６０が前記凹部２３３から上に引き伸ばされるとともに、前記第一エレメント列２７１と前記第二エレメント列２７２が噛み合い、通常時には、前記第一エレメント列２７１と前記第二エレメント列２７２の噛み合いが解除されるとともに、前記防水面材２６０が折られた状態で前記凹部２３３に収納されることを特徴とする堰止構造２１０である。
【００２０】
請求項８に係る発明によれば、防水面材２６０が出入口２０２の床部２０３の凹部２３３内に取り付けられているので、防水面材２６０と床部２０３の間における止水性・水密性を実現することができる。
第一エレメント列２７１と第二エレメント列２７２の噛み合いを解除すれば、堰止壁を解体することができるので、堰止壁の解体が容易である。また、堰止壁が解体された状態では、防水面材２６０が折られた状態で凹部に収納されるので、防水面材２６０の保管場所を確保することができる。
防水面材２６０を上に引き上げて、第一エレメント列２７１と第二エレメント列２７２を噛み合わせることで堰止壁を構築することができるので、堰止壁の構築が容易である。
【００２１】
請求項９に係る発明は、請求項８に記載の堰止構造２１０において、通常時には、前記凹部２３３にカバー２８０が被せられることを特徴とする堰止構造２１０である。
【００２２】
請求項９に係る発明によれば、カバー２８０が凹部２３３に被せられるので、防水面材２６０をカバー２８０によって隠すことができる。また、凹部２３３がカバー２８０によって塞ぐことができる。よって、出入口２０２の床部２０３の見栄えが良くなる。
【００２３】
請求項１０に係る発明は、例えば図１、図１５又は図２０に示すように、建造物１（１０１，２０１）の出入口２（１０２，２０２）において水を堰き止める堰止方法であって、前記出入口２（１０２，２０２）の内縁に取り付けられた防水シート５０（１５０，２５０）に防水ファスナー７０（１７０，２７０）によって防水面材６０（１６０，２６０）を連結することによって前記防水面材６０（１６０，２６０）及び前記防水シート５０（１５０，２５０）を張った状態に設け、前記防水面材６０（１６０，２６０）及び前記防水シート５０（１５０，２５０）からなる堰止壁を前記出入口２（１０２，２０２）の床部３（１０３，２０３）に立てた状態に設けることを特徴とする堰止方法である。
【００２４】
請求項１０に係る発明によれば、防水ファスナー７０（１７０，２７０）を用いたので、防水シート５０（１５０，２５０）に対して防水面材６０（１６０，２６０）を簡単に着脱することができる。
防水ファスナー７０（１７０，２７０）を利用したので、防水面材６０（１６０，２６０）と防水シート５０（１５０，２５０）との連結部における止水性・水密性を実現することができ、防水面材６０（１６０，２６０）及び防水シート５０（１５０，２５０）からなる堰止壁の遮水性を高く実現することができる。
防水ファスナー７０（１７０，２７０）による防水面材６０（１６０，２６０）と防水シート５０（１５０，２５０）の連結を解除すれば、防水面材６０（１６０，２６０）を防水シート５０（１５０，２５０）から外して、防水シート５０（１５０，２５０）を折り畳むことができる。そのため、防水シート５０（１５０，２５０）が出入口２（１０２，２０２）の通行の邪魔になることを防止することができる。
【００２５】
請求項１１に係る発明は、建造物１（１０１，２０１）の出入口２（１０２，２０２）の側部４（１０４，２０４）に防水面材６０（１６０，２６０）を取り付けるための防水面材６０（１６０，２６０）の取付構造において、防水シート５０（１５０，２５０）が前記出入口２（１０２，２０２）の側部４（１０４，２０４）に取り付けられ、前記防水面材６０（１６０，２６０）の側縁が防水ファスナー７０（１７０，２７０）によって前記防水シート５０（１５０，２５０）の縁に着脱可能に連結されることを特徴とする防水面材６０（１６０，２６０）の取付構造である。
【００２６】
請求項１１に係る発明によれば、防水ファスナー７０（１７０，２７０）を用いたので、防水シート５０（１５０，２５０）に対して防水面材６０（１６０，２６０）を簡単に着脱することができるとともに、防水面材６０（１６０，２６０）と防水シート５０（１５０，２５０）との連結部における止水性・水密性を実現することができる。
【発明の効果】
【００２７】
本発明によれば、防水ファスナーを利用したからこそ、防水面材と防水シートの取り付け及び取り外しが容易となる。防水ファスナーを閉じれば、防水面材と防水シートとの間における止水性・水密性が実現される。防水ファスナーを開けば、防水面材を防水シートから外すことができ、防水シートを畳むことができる。
【図面の簡単な説明】
【００２８】
【図１】本発明の第一実施形態に係る堰止構造を組み立てた状態の斜視図である。
【図２】同堰止構造を解体した状態の斜視図である。
【図３】同堰止構造が設けられた出入口の側部の下部における水平断面図である。
【図４】同出入口の側部の下部における水平断面図である。
【図５】同出入口の中心に沿った鉛直断面図である。
【図６】同出入口の中心に沿った鉛直断面図である。
【図７】図１の一部を拡大して示した図である。
【図８】同実施形態の変形例１に係る堰止構造が設けられた出入口の中心に沿った鉛直断面図である。
【図９】同実施形態の変形例２に係る堰止構造が設けられた出入口の側部の下部における水平断面図である。
【図１０】同実施形態の変形例３に係る堰止構造が設けられた出入口の側部の下部における水平断面図である。
【図１１】同実施形態の変形例４に係る堰止構造が設けられた出入口の側部の下部における水平断面図である。
【図１２】同実施形態の変形例５に係る堰止構造が設けられた出入口の側部の下部における水平断面図である。
【図１３】同実施形態の変形例６に係る堰止構造が設けられた出入口の側部の下部における水平断面図である。
【図１４】同実施形態の変形例７に係る堰止構造が設けられた出入口の正面図である。
【図１５】本発明の第二実施形態に係る堰止構造を組み立てた状態の斜視図である。
【図１６】同堰止構造を解体した状態の斜視図である。
【図１７】同堰止構造が設けられた出入口の中心に沿った鉛直断面図である。
【図１８】同出入口の中心に沿った鉛直断面図である。
【図１９】同堰止構造の一部を示した斜視図である。
【図２０】図１９に示す領域XXの拡大図である。
【図２１】同実施形態の変形例に係る堰止構造が設けられた出入口の中心に沿った鉛直断面図である。
【図２２】同実施形態の変形例Ａに係る堰止構造を組み立てた状態の斜視図である。
【図２３】同堰止構造が設けられた出入口の中心に沿った鉛直断面図である。
【図２４】同実施形態の変形例Ｂに係る堰止構造が設けられた出入口の中心に沿った鉛直断面図である。
【図２５】同実施形態の変形例Ｂに係る堰止構造が設けられた出入口の中心に沿った鉛直断面図である。
【図２６】同実施形態の変形例Ｃに係る堰止構造が設けられた出入口の中心に沿った鉛直断面図である。
【図２７】本発明の第三実施形態に係る堰止構造を組み立てた状態の斜視図である。
【図２８】同堰止構造を解体した状態の斜視図である。
【図２９】同堰止構造が設けられた出入口の中心に沿った鉛直断面図である。
【発明を実施するための形態】
【００２９】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００３０】
〔第一の実施の形態〕
図１及び図２は、建造物１の出入口２に設けられた堰止構造１０を示した斜視図である。図３及び図４は、出入口２の側部の下部における水平断面図である。図５及び図６は、出入口２の中心に沿った鉛直断面図である。図７は、図１の一部（堰止構造１０の右下部分）を拡大して示した図である。
【００３１】
堰止構造１０は、豪雨等の非常時において出入口２で水を堰き止めて、出入口２を通じた水の浸入を防止するものである。堰止構造１０は非常時に組まれ、浸水の虞のない通常時に解体される。図１、図３、図５及び図７は、堰止構造１０の防水機能を発揮できるように堰止構造１０が組まれた状態を示す。図２、図４及び図６は、出入口２を通行可能なように堰止構造１０が解体された状態を示す。
【００３２】
図１及び図２に示すように、建造物１は、例えば建物（例えば、住宅、集合住宅、ビルディング、駅舎その他の建築物）の躯体（特に外壁であり、より具体的には一階又は地階の外壁）、塀、門柱、通路の側壁、地下出入口構造物等である。ここで、地下出入口構造物とは、地下施設（例えば、地下鉄の駅、地下通路、地下街、地下室、地下駐車場等）から地上への階段又は通路における地上の出入口を囲う構造物をいう。
【００３３】
出入口２はその下の床部３及びその左右の側部４によって囲われている。出入口２の上側が開放されているか、出入口２の上側が上面によって囲われている。床部３及び左右の側部４からなるＵ字型構造体が構成される。
【００３４】
この出入口２には、出入口２を開閉する開閉体（例えば扉、門扉、開き戸、引違い戸、引き戸、折り戸、はね上げ門扉、鎧戸（シャッター）、自動ドア、引違い窓、掃き出し窓、地窓）が設けられていてもよいし、そのような開閉体が設けられていなくてもよい。出入口２に開閉体が設けられている場合、図１に示すように堰止構造１０が組まれたとき、開閉体が開いていてもよいし、閉じてもよい。
【００３５】
床部３若しくは側部４又はそれらの両方に枠、框又は戸当り等が設けられることによって床部３若しくは側部４又はそれらの両方が段状に設けられていてもよいし、床部３若しくは側部４又はそれの両方が平坦に設けられていてもよい。
【００３６】
この堰止構造１０は、下のケーシング（例えば凹型の部材）３０、収納凹部３３、左右一対のケーシング（例えば凹型の部材）４０、左右一対の収納凹部４３、防水シート５０、防水面材６０、防水ファスナー（防水性の線ファスナー）７０、ロアカバー８０及び左右一対のサイドカバー９０等を備える。
【００３７】
図３及び図４に示すように、出入口２の左右の側部４にケーシング４０がそれぞれ取り付けられることによって、収納凹部４３が出入口２の左右の側部４にそれぞれ形成される。ケーシング４０及び収納凹部４３は、出入口２の床部３から上方へ上下方向に沿って設けられている（図１参照）。ケーシング４０は、上下方向に向かって見てＵ字型（コ字型）の開断面形状を有する。つまり、ケーシング４０はウエブ４１及び前後一対のフランジ４２から構成されている。ウエブ４１は、上下方向に延在するように帯板状に形成されている。フランジ４２は、ウエブ４１の長手方向に沿ってウエブ４１の前後縁部にそれぞれ設けられているとともに、ウエブ４１に対して立てられている。フランジ４２も、上下方向に延在するように帯板状に形成されている。これらのウエブ４１及びフランジ４２によって収納凹部４３が囲われることによって、収納凹部４３がケーシング４０に形成され、そのケーシング４０が出入口２の内側に向けて開口する。ケーシング４０は出入口２の左右に側部４に形成された溝に嵌め込まれている。ウエブ４１が収納凹部４３の底を構成し、フランジ４２が収納凹部４３の側壁を構成する。
【００３８】
図５及び図６に示すように、出入口２の床部３にケーシング３０が取り付けられることによって、収納凹部３３が出入口２の床部３に形成される。ケーシング３０及び収納凹部３３は、出入口２を左右に横切るように左右方向に沿って設けられている（図１参照）。そして、この収納凹部３３の左右の端が左右の収納凹部４３の下端にそれぞれ連なっている。ケーシング３０は、左右方向に向かって見てＵ字型の開断面形状を有する。つまり、ケーシング３０はウエブ３１及び前後一対のフランジ３２から構成されている。ウエブ３１は、左右方向に延在するように帯板状に形成されている。フランジ３２は、ウエブ３１の長手方向に沿ってウエブ３１の前後縁部に設けられているとともに、ウエブ３１に対して立てられている。フランジ３２も、左右方向に延在するように帯板状に形成されている。これらのウエブ３１及びフランジ３２によって収納凹部３３が囲われることによって、収納凹部３３がケーシング３０に形成され、そのケーシング３０が上側に向けて開口する。ケーシング３０は、出入口２の床部３に形成された溝に嵌め込まれている。ウエブ３１が収納凹部３３の底を構成し、フランジ３２が収納凹部３３の側壁を構成する。
【００３９】
防水シート５０は、正面から見てＵ字型（コ字型）に形作られた帯状のシートである。つまり、防水シート５０が下部帯状片５３及び左右一対の左右の側部帯状片５４を有し、下部帯状片５３の左右両端が左右の帯状の側部帯状片５４の下端にそれぞれ連なっており、これら帯状片５３，５４が連続して一体に形成されている。防水シート５０、下部帯状片５３及び側部帯状片５４は可撓性を有し、防水シート５０、下部帯状片５３及び側部帯状片５４を折り畳んだり、曲げたり、丸めたりすることができる。また、防水シート５０、下部帯状片５３及び側部帯状片５４が遮水性を有し、水が下部帯状片５３及び側部帯状片５４を通過しない。
【００４０】
防水シート５０の取付構造について具体的に説明する。
図１及び図３に示すように、側部帯状片５４が上下方向に沿って設けられ、二つのブラケット４７によって収納凹部４３内に取り付けられている。ブラケット４７は上下方向に向かって見てＬ字型の断面形状を有している。それらブラケット４７が収納凹部４３を前後に区切るようにして収納凹部４３内に配置され、側部帯状片５４の外側の縁部がそれらブラケット４７の間に挟み込まれており、それらブラケット４７がケーシング４０のウエブ４１に締結されている。側部帯状片５４がブラケット４７によって挟まれた状態でブラケット４７がウエブ４１に締結されているので、側部帯状片５４と出入口２の側部４との間の水密性・止水性が確保される。その水密性・止水性は、側部帯状片５４の外側の縁部の上端から下端にかけて実現されている。つまり、ブラケット４７は、側部帯状片５４の上端から下端にかけて上下に延在する。
【００４１】
図１及び図５に示すように、下部帯状片５３が出入口２を左右に横切るようにして、二つのブラケット３７によって収納凹部３３内に取り付けられている。ブラケット３７は左右方向に向かって見てＬ字型の断面形状を有している。それらブラケット３７が出入口２を左右に横切るようにして収納凹部３３内に配置され、下部帯状片５３の下側の縁部がそれらブラケット３７の間に挟み込まれており、それらブラケット３７がケーシング３０のウエブ３１に締結されている。下部帯状片５３がブラケット３７によって挟まれた状態でブラケット３７がウエブ３１に締結されているので、下部帯状片５３と出入口２の床部３との間の水密性・止水性が確保される。その水密性・止水性は、下部帯状片５３の外側の縁部の上端から下端にかけて実現されている。つまり、ブラケット３７は、下部帯状片５３の上端から下端にかけて上下に延在する。
【００４２】
図１及び図７に示すように、防水シート５０が出入口２の内側に引き伸ばされた状態でも、防水シート５０の角部（下部帯状片５３と側部帯状片５４との連結部）には撓み５１が形成される。その撓み５１は、内側に向かうにつれて大きくなり、外側に向かうにつれて小さくなる。
【００４３】
防水面材６０について具体的に説明する。
防水面材６０は長方形状又は正方形状に形作られている。防水面材６０が遮水性を有し、水が防水面材６０を通過しない。防水面材６０は可撓性を有し、防水面材６０を丸めたり、曲げたり、折り畳んだりすることができる。防水面材６０の全体が可撓性を有してもよいし、防水面材６０の一部が可撓性を有し、残りの一部が硬質（非可撓性）を有していてもよい。例えば、防水面材６０の中央部が硬質であり、防水面材６０の周縁部（特に、下縁部、左縁部及び右縁部）が可撓性を有してもよい。
【００４４】
防水ファスナー７０について具体的に説明する。
防水ファスナー７０は第一エレメント列（第一務歯列）７１、第二エレメント列（第二務歯列）７２及びファスナースライダー７３等を有する。
【００４５】
第一エレメント列７１は防水シート５０に取り付けられている。具体的には、第一エレメント列７１は、防水シート５０の内縁（左の側部帯状片５４の右縁、下部帯状片５３の上縁及び右の側部帯状片５４の左縁）に沿ってＵ字状に配列されるようにして防水シート５０の内縁に取り付けられた複数の務歯（エレメント）からなる。
【００４６】
第二エレメント列７２は防水面材６０に取り付けられている。具体的には、第二エレメント列７２は、防水面材６０の左縁、下縁及び右縁に沿ってＵ字状に配列されるようにして防水面材６０の左縁、下縁及び右縁に取り付けられた複数の務歯（エレメント）からなる。
【００４７】
ファスナースライダー７３は防水ファスナー７０を開閉するものである。ファスナースライダー７３は、第一エレメント列７１又は第二エレメント列７２に沿ってスライドするように第一エレメント列７１又は第二エレメント列７２に取り付けられている。
【００４８】
非常時に防水面材６０を防水ファスナー７０によって防水シート５０に取り付ける場合には、ファスナースライダー７３をスライドさせることによって第一エレメント列７１と第二エレメント列７２を水密に噛み合わせる。これにより、防水面材６０の左縁が防水ファスナー７０によって左の側部帯状片５４の右縁に連結され、防水面材６０の下縁が防水ファスナー７０によって下部帯状片５３の上縁に連結され、防水面材６０の右縁が防水ファスナー７０によって右の側部帯状片５４の左縁に連結される。このような連結によって、防水面材６０及び防水シート５０からなる堰止壁が形成され、その堰止壁は出入口２内に広げられた状態且つ床部３に立てられた状態に設けられ、その堰止壁によって出入口２の下部が塞がれる。このような堰止壁が形成されることによって、非常時に建造物１の外側が浸水したとしても、水が堰止壁によって堰き止められる。
【００４９】
防水面材６０が広げられた状態であっても、防水面材６０の左下角部及び右下角部には、防水シート５０の角部に合わせた撓み６１が形成される。
【００５０】
通常時には、防水面材６０を防水シート５０から外すことができる。防水面材６０を防水シート５０から外す場合には、ファスナースライダー７３を反対にスライドさせる。そうすれば、第一エレメント列７１と第二エレメント列７２の噛み合いが解除され、防水ファスナー７０が開く。以上により防水面材６０を下部帯状片５３及び側部帯状片５４から外すことができる（図２、図４及び図６参照）。外した防水面材６０を丸めたり、曲げたり、折り畳んだりすることができるので、防水面材６０を狭い収納スペースに収納することができる。
【００５１】
防水面材６０を防水シート５０から取り外すと、図４に示すように側部帯状片５４を折り曲げて、側部帯状片５４を収納凹部４３内に収納することができる。同様にして、図６に示すように、下部帯状片５３を折り曲げて、下部帯状片５３を収納凹部３３内に収納することができる。必要に応じて側部帯状片５４及び下部帯状片５３を丸めたり、折り畳んだりすることもできる。防水シート５０の角部に撓み５１があるので、防水シート５０の内縁を伸張させずに防水シート５０を曲げて収納凹部３３，４３内に収納することができる。
【００５２】
図２に示すように、通常時には、防水シート５０が折り畳まれた状態でロアカバー８０及びサイドカバー９０によって覆われている。具体的には、図２及び図４に示すように、側部帯状片５４が収納凹部４３内に収納された状態では、サイドカバー９０がケーシング４０に組み付けられ、サイドカバー９０が収納凹部４３に被せられ、収納凹部４３がサイドカバー９０によって塞がれる。ここで、サイドカバー９０は上下方向に向かって見てＵ字型（コ字型）の開断面形状を有する。つまり、サイドカバー９０が帯状のウエブ９１及び一対のフランジ９２から構成され、フランジ９２がウエブ９１の長手方向に沿ってウエブ９１の縁部に設けられ、それらフランジ９２がウエブ９１に対して立てられている。
【００５３】
収納凹部４３をサイドカバー９０によって蓋をする際には、サイドカバー９０の開断面形状の開口をケーシング４０の開口（収納凹部４３）に向き合わせて、サイドカバー９０を収納凹部４３に嵌め込み、サイドカバー９０を固定具（例えば、締結ネジ）９３によってケーシング４０に固定する。このようにサイドカバー９０がケーシング４０に組まれることによって、中空を有した閉断面形状が形成され、側部帯状片５４がその中空に収納される。側部４が平坦な面である場合、サイドカバー９０がケーシング４０に組まれた状態では、サイドカバー９０のウエブ９１の外面が出入口２の側部４と面一になっている。
【００５４】
図２及び図６に示すように、下部帯状片５３が収納凹部３３内に収納された状態では、ロアカバー８０がケーシング３０に組み付けられ、収納凹部３３がロアカバー８０によって塞がれる。ここで、ロアカバー８０は左右方向に向かって見てＵ字型の開断面形状を有する。つまり、ロアカバー８０が帯状のウエブ８１及び一対のフランジ８２から構成され、フランジ８２がウエブ８１の長手方向に沿ってウエブ８１の縁部に設けられ、それらフランジ８２がウエブ８１に対して立てられている。
【００５５】
収納凹部３３をロアカバー８０によって蓋をする際には、ロアカバー８０の開断面形状の開口をケーシング３０の開口（収納凹部３３）に向き合わせて、ロアカバー８０を収納凹部３３に嵌め込み、ロアカバー８０を固定具（例えば、締結ネジ）８３によってケーシング３０に固定する。このようにロアカバー８０がケーシング３０に組まれることによって、中空を有した閉断面形状が形成され、下部帯状片５３がその中空に収納される。床部３が平坦な面である場合、ロアカバー８０がケーシング３０に組まれた状態では、ロアカバー８０のウエブ８１の外面が出入口２の床部３と面一になっている。
【００５６】
非常時に堰止構造１０が組み立てられた場合には、固定具８３，９３が外され、更にロアカバー８０及び左右のサイドカバー９０がケーシング３０及び左右のケーシング４０からそれぞれ外され、収納凹部３３及び左右の収納凹部４３が開放されている。
【００５７】
堰止構造１０の組立手順について説明する。
まず、ロアカバー８０を収納凹部３３から取り外すとともに、サイドカバー９０を収納凹部４３から取り外す。
次に、防水シート５０を収納凹部３３，４３から出入口２の内側へ引き出して伸ばす。つまり、下部帯状片５３及び左右の側部帯状片５４を出入口２の内側へ伸ばす。
次に、第一エレメント列７１の一端を第二エレメント列７２の一端に組む。そして、防水面材６０を広げながら、ファスナースライダー７３をエレメント列７１，７２の一端から他端へエレメント列７１，７２に沿ってスライドさせる。これにより、防水ファスナー７０を閉じて、防水面材６０を防水シート５０に連結する。
【００５８】
堰止構造１０の解体方法について説明する。
まず、ファスナースライダー７３をエレメント列７１，７２に沿ってスライドさせることによって、防水ファスナー７０を開く。これにより、防水面材６０を防水シート５０から取り外す。
次に、防水シート５０を折り畳んで収納凹部３３，４３内に収納する。
次に、ロアカバー８０を収納凹部３３に被せて、サイドカバー９０を収納凹部４３に被せて、防水シート５０をロアカバー８０及びサイドカバー９０によって覆う。
次にロアカバー８０を固定具８３によって床部３に固定し、サイドカバー９０を固定具９３によって側部４に固定する。
次に、防水面材６０を折り畳む。
【００５９】
本実施の形態によれば、次のような作用効果が生じる。
（１）  防水ファスナー７０を利用したので、防水面材６０の着脱が容易である。つまり、防水面材６０及び防水シート５０を広げて、防水ファスナー７０を閉めるだけで、防水面材６０を防水シート５０に簡単に連結することができる。逆に、防水ファスナー７０を開くだけで、防水面材６０を防水シート５０から簡単に取り外すことができる。
【００６０】
（２）  防水ファスナー７０を利用したので、防水面材６０及び防水シート５０からなる堰止壁の遮水性が高く実現される。つまり、防水面材６０と防水シート５０の境界部の止水性・水密性が防水ファスナー７０によって実現される。
【００６１】
（３）  防水シート５０を用いたので、防水面材６０を防水シート５０から外すと、防水シート５０を折り畳むことができる。そのため、防水シート５０が出入口２の通行の邪魔にならない。特に、防水シート５０を下の収納凹部３３及び左右の収納凹部４３に収納することができるので、防水シート５０が出入口２の通行の邪魔にならない。
【００６２】
（４）  通常時には、収納凹部３３及び収納凹部４３をそれぞれロアカバー８０及びサイドカバー９０によって蓋をするので、出入口２の床部３や側部４の見栄えが良くなる。
【００６３】
（５）  収納凹部３３をロアカバー８０によって蓋をすることによって、収納凹部３３に躓くことを防止することができる。特に、ロアカバー８０のウエブ８１の外面が床面に対して面一であれば、躓き防止がより効果的になる。
【００６４】
（６）  防水面材６０が可撓性を有するため、防水面材６０を外した場合に防水面材６０を折り畳んで、防水面材６０を狭い場所に保管することができる。
【００６５】
（７）  防水シート５０の側部帯状片５４がブラケット４７によって挟まれた状態でそのブラケット４７がケーシング４０に固定されているので、防水シート５０の側部帯状片５４と出入口２の側部４との間の止水性・水密性を高く実現することができる。防水シート５０の下部帯状片５３についても同様である。
【００６６】
〔変形例〕
上記実施形態の変形例について説明する。変形例については、上述のように構成された堰止構造１０から変更した点の説明をする。変更点以外は上述の堰止構造１０の構成と同様であるので、変更点以外の説明を省略する。
【００６７】
〔変形例１〕
上記実施形態では、図３及び図４に示すように、ロアカバー８０を取り外すことができた。
それに対して、変形例１では、図８に示すように、ロアカバー８０が平板状に形成され、ロアカバー８０の前側又は後ろ側の縁が出入口２の床部３（特に、ケーシング３０のフランジ３２）にヒンジ８４によって連結されている。こうすることでロアカバー８０を開閉することができる。サイドカバー９０及び出入口２の側部４についても同様である。
【００６８】
〔変形例２〕
上記実施形態では、図３に示すように、ケーシング４０が出入口２の側部４の溝に嵌め込まれていた。それに対して、変形例２では、図９に示すように、ケーシング４０のウエブ４１が側部４の表面（つまり、出入口２の側面）に面接触した状態でその側部４に取り付けられている。床部３に設けられたケーシング３０についても同様である。
なお、図９ではケーシング４０の幅が出入口２を囲んだ建造物１の壁等の厚さにほぼ等しいが、ケーシング４０の幅が建造物１の壁等の厚さよりも狭くてもよいし、広くてもよい。
【００６９】
上記実施形態では、図３に示すように、締結ネジである固定具９３によってサイドカバー９０がケーシング４０に固定されていた。それに対して、変形例２では、図９に示すように、サイドカバー９０をケーシング４０に固定する固定具が爪４４，９４の係止を利用したものである。具体的には、サイドカバー９０の開口の内縁に爪９４が形成され、ケーシング４０の開口の外縁に爪４４が形成され、サイドカバー９０の開口がケーシング４０の開口に向き合わせられて、ケーシング４０がサイドカバー９０の開口に嵌め込まれるようにしてケーシング４０とサイドカバー９０が組み合わせられ、爪９４と爪４４が互いに引っ掛かっている。爪９４がフランジ９２の長手方向に沿ってフランジ９２の突端に形成され、その爪９４がフランジ９２の突端から内側に突出するように形成されている。爪４４がフランジ４２の長手方向に沿ってフランジ４２の突端に形成され、その爪４４がフランジ４２の突端から外側に突出するように形成されている。
【００７０】
〔変形例３〕
上記実施形態では、図３〜図６に示すように、防水シート５０がケーシング３０，４０に取り付けられ、ケーシング３０，４０が出入口２の床部３、側部４にそれぞれ取り付けられていた。それに対して、変形例３では、図１０に示すように、防水シート５０が床部３及び側部４に直接取り付けられている。つまり、ケーシングが側部４の溝４ａに嵌め込まれておらず、溝４ａの底に側部帯状片５４の外側の縁部がブラケット４７によって挟まれた状態でブラケット４７が溝４ａの底にネジ等によって締結されることによって、側部帯状片５４の外側の縁部がブラケット４７によって溝４ａの底に取り付けられている。下部帯状片５３についても同様である。
【００７１】
また、変形例３では、溝４ａの縁部に段差４ｂが形成され、サイドカバー９０が平板状に形成されている。そして、通常時には、サイドカバー９０がその段差４ｂに引っ掛かった状態で溝４ａに覆い被さっておりサイドカバー９０は固定具（例えば、ネジ）によって側部４に固定されている。非常時には、その固定具による固定を解除すれば、サイドカバー９０を出入口２の側部４から取り外すことができる。ロアカバー８０及び床部３の溝についても同様である。
【００７２】
〔変形例４〕
変形例４では、出入口２が扉の開口部又は窓の開口部である。つまり、図１１に示すように、枠体（例えば、窓枠、サッシ、ドア枠）５が出入口２の縁に沿って取り付けられ、開閉体（例えば開き戸、引き戸、引違い戸、折り戸、引違い窓）６がその枠体５に開閉可能に組み付けられている。枠体５は、上枠、下枠及び左右の縦枠を矩形状に枠組みしたものである。開閉体６の開閉方式は例えば開き戸式、両開き式、引き戸式、引き違い式である。
【００７３】
ケーシング３０，４０は枠体５と一体に設けられている。具体的には、ケーシング３０が建造物１の内側において枠体５の下枠に一体に形成され、ケーシング４０が建造物１の内側において枠体５の縦枠に一体に形成されている。なお、ケーシング３０が枠体５の下枠に組み付けられ、ケーシング４０が枠体５の縦枠に組み付けられることによって、ケーシング３０，４０が枠体５に一体に設けられてもよい。
【００７４】
ケーシング４０のウエブ４１が側部４の表面（つまり、出入口２の側面）に面接触した状態でその側部４に取り付けられている。床部３に設けられたケーシング３０についても同様である。
【００７５】
ケーシング４０がＵ字型ではなく、Ｌ字型に形成されている。つまり、ケーシング４０が帯状のウエブ４１及び片側のフランジ４２から構成されている。そして、ケーシング４０のウエブ４１の縁及びフランジ４２の突端に嵌合部４５がそれぞれ形成され、それら嵌合部４５がフランジ４２の突端に沿って形成されている。ケーシング３０についても同様である。
【００７６】
サイドカバー９０の一対のフランジ９２の高さが異なる。そして、サイドカバー９０の開口の外縁に爪９５が形成されている。つまり、爪９５がフランジ９２の長手方向に沿ってフランジ９２の突端に形成され、その爪９５がフランジ９２の突端から内側に突出するように形成されている。ロアカバー８０についても同様である。
【００７７】
サイドカバー９０の開口がケーシング４０の開口に向き合わせられて、爪９５が嵌合部４４にそれぞれ嵌合して引っ掛かっている。ロアカバー８０及びケーシング３０も同様に組まれている。
【００７８】
〔変形例５〕
図１２に示すように、側部帯状片５４の外側の縁部と共にシール（例えば、薄板状ゴム弾性材、接着剤、両面粘着テープ等）４８がブラケット４７によって挟まれている。また、ブラケット４７とケーシング４０のウエブ４１との間にシール（例えば、薄板状ゴム弾性材、接着剤、両面粘着テープ等）４９が挟まれた状態で、ブラケット４７がケーシング４０のウエブ４１に締結されている。図１２に示すように、シール４８とシール４９が一体成形され、シール４８とシール４９の境界部において折られている。なお、シール４８とシール４９が別々の部材であってもよい。
【００７９】
シール４８，４９によって、側部帯状片５４とケーシング４０の取付部分の止水性・水密性が更に向上する。
下部帯状片５３とケーシング３０との取付についても同様にシールを用いてもよい。
【００８０】
〔変形例６〕
図１３に示すように、側部帯状片５４の外側の縁部が折り曲げられて、側部帯状片５４の外側の縁部がブラケット４７とケーシング４０のウエブ４１との間に挟まれてもよい。このようにすることによって、側部帯状片５４とケーシング４０の取付部分の止水性・水密性が更に向上する。
下部帯状片５３とケーシング３０との取付についても同様にシールを用いてもよい。
【００８１】
〔変形例７〕
上記実施形態では、図１及び図７に示すように、防水シート５０の角部に撓み５１が形成されていることによって、防水シート５０の内縁を伸張させずに防水シート５０を曲げて収納凹部３３，４３内に収納することができた。それに対して、変形例７では、図１４に示すように、防水シート５０の内縁の角部にノッチ５２が形成されることによって、防水シート５０の内縁を伸張させずに防水シート５０を曲げて収納凹部３３，４３内に収納することができる。
【００８２】
防水シート５０が出入口２の内側に引き伸ばされた状態でも、ノッチ５２の底は収納凹部４３と収納凹部３３の境界の角部まで至っている。防水ファスナー７０の第一エレメント列７１はノッチ５２において途切れているのではなく、その第一エレメント列７１はノッチ５２の縁に沿って設けられている。
【００８３】
防水面材６０の左下角部及び右下角部には、ノッチ５２の形状に合った突片６２が設けられている。防水面材６０と突片６２が一体となるように連結（例えば、接着、縫製、接合等）又は成形されている。防水面材６０と突片６２の全体で遮水性を有する。なお、防水面材６０と突片６２の全体で可撓性を有するか、防水面材６０の周縁部分（突片６２の含む）が可撓性を有し、防水面材６０の中央部が硬質である。
【００８４】
防水ファスナー７０の第二エレメント列７２は突片６２において途切れているのではなく、その第二エレメント列７２は突片６２の縁に沿って設けられている。そして、突片６２がノッチ５２内に配置され、防水ファスナー７０が締められると、突片６２の縁とノッチ５２の縁が防水ファスナー７０によって連結される。
【００８５】
〔変形例８〕
上記実施形態から上記変形例１〜７のように変更した部分を可能な限り組み合わせて適用してもよい。
【００８６】
〔第二の実施の形態〕
図１５及び図１６は、建造物１０１の出入口１０２に設けられた堰止構造１１０を示した斜視図である。図１７及び図１８は、出入口１０２の中心に沿った鉛直断面図である。図１５及び図１７は、堰止構造１１０の防水機能を発揮できるように堰止構造１１０が組まれた状態を示す。図１６及び図１８は、出入口１０２を通行可能なように堰止構造１１０が解体された状態を示す。また、図１９は堰止構造１１０を組む際の堰止構造１１０の一部を示した斜視図である。図２０は図１９に示す領域XXの拡大図である。
【００８７】
建造物１０１及び出入口１０２は第一実施形態の建造物１及び出入口２と同じであるので、建造物１０１及び出入口１０２の説明を省略する。
【００８８】
この堰止構造１１０は、下の受入部材（例えば凹型の部材）１３０、受入凹部１３３、左右一対のケーシング（例えば凹型の部材）１４０、左右一対の収納凹部１４３、左右一対の防水シート１５０、防水面材１６０、止水部材１６１、左右一対の防水ファスナー（防水性の線ファスナー）１７０、ロアカバー１８０及び左右一対のサイドカバー１９０等を備える。
【００８９】
出入口１０２の左右の側部１０４にケーシング１４０がそれぞれ取り付けられることによって、収納凹部１４３が出入口１０２の左右の側部１０４にそれぞれ形成される。ケーシング１４０及び収納凹部１４３が第一実施形態のケーシング４０及び収納凹部４３と同じであるので、ケーシング１４０及び収納凹部１４３の詳細な説明を省略する。
また、通常時には、サイドカバー１９０がケーシング１４０に組み付けられ、非常時には、サイドカバー１９０がケーシング１４０から外される。サイドカバー１９０とケーシング１４０の組み付けは第一実施形態のサイドカバー９０とケーシング４０の組み付けと同じであるので（図４、図９、図１０、図１１参照）、その組み付けの詳細な説明を省略する。なお、固定具１９３はサイドカバー１９０をケーシング１４０に固定する構成の一例であり、固定具１９３の具体的態様は適宜変更可能である。
【００９０】
可撓性の防水シート１５０は縦長の帯状に形成されている。左側の防水シート１５０の左縁部が出入口１０２の左側部１０４（より具体的にはケーシング１４０内）に水密性を有する状態に取り付けられ、右側の防水シート１５０の右縁部が出入口１０２の右側部（より具体的にはケーシング１４０内）に水密性を有する状態に取り付けられている。防水シート１５０とケーシング１４０の取付の構成は第一実施形態における側部帯状片５４とケーシング４０の取付の構成（図３、図４、図９、図１０、図１１、図１２、図１３参照）と同様であるので、防水シート１５０とケーシング１４０の取付の構成の詳細な説明を省略する。
【００９１】
通常時には、防水シート１５０が折り畳まれた状態でケーシング１４０に収納され、サイドカバー１９０が収納凹部１４３に被せられて、サイドカバー１９０をケーシング４０に組み付けられている（図１６参照）。サイドカバー１９０は第一実施形態のサイドカバー９０と同じであり、サイドカバー１９０とケーシング１４０の組み付けも第一実施形態のサイドカバー９０とケーシング４０の組み付けと同じである。
非常時には、サイドカバー１９０がケーシング１４０から外され、防水シート１５０が収納凹部１４３から出入口１０２の中央部へ引き出されている（図１６参照）。
【００９２】
図１７及び図１８に示すように、出入口１０２の床部１０３に受入部材１３０が取り付けられることによって、受入凹部１３３が出入口１０２の床部１０３に形成される。受入凹部１３３は第一実施形態のケーシング３０と同様にＵ字型断面形状を有するとともに、ウエブ１３１及び一対のフランジ１３２からなる。受入部材１３０の幅（フランジ１３２とフランジ１３２の間隔）は左右のケーシング１４０の幅よりも狭く、受入凹部１３３の幅も収納凹部１４３の幅よりも狭い。そして、受入部材１３０及び受入凹部１３３の左右端が左右の収納凹部１４３の下端において収納凹部１４３内まで延在する。
【００９３】
図１６及び図１８に示すように、通常時には、ロアカバー１８０によって受入凹部１３３が蓋をされている。このロアカバー１８０はゴム弾性体からなり、ロアカバー１８０が受入凹部１３３に嵌め込まれることによって、受入凹部１３３がロアカバー１８０によって塞がれる。ロアカバー１８０によって受入凹部１３３が塞がれるので、出入口１０２の床部１０３の見栄えが良くなるとともに、受入凹部１３３に躓くことを防止することができる。
【００９４】
図１５及び図１７に示すように、非常時には、ロアカバー１８０が受入凹部１３３から引き抜かれ、受入凹部１３３が開放される。
【００９５】
図１５に示すように防水面材１６０は長方形状又は正方形状に形作られている。防水面材１６０が遮水性を有し、水が防水面材１６０を通過しない。防水面材１６０は可撓性を有する。なお、防水面材１６０の全体が可撓性を有してもよいし、防水面材１６０の一部（例えば、下縁部、左縁部及び右縁部）が可撓性を有し、残りの一部（例えば、中央部）が非可撓性（硬質）を有していてもよい。
【００９６】
非常時には、防水面材１６０は左右の防水ファスナー１７０によって左右の防水シート１５０にそれぞれ連結される。
ここで、左の防水ファスナー１７０は第一エレメント列１７１、第二エレメント列１７２及びファスナースライダー１７３等を有し、第一エレメント列１７１が左の防水シート１５０の内側（右側）の縁に沿って設けられ、第二エレメント列１７２が防水面材１６０の左縁に沿って設けられ、ファスナースライダー１７３が第一エレメント列１７１又は第二エレメント列１７２に沿ってスライドするように第一エレメント列１７１又は第二エレメント列１７２に取り付けられている。右の防水ファスナー１７０についても同様である。
【００９７】
非常時には、左の防水ファスナー１７０のエレメント列１７１，１７２が噛み合うことによって防水面材１６０の左縁が左の防水シート１５０の内側（右側）の縁に連結され、右の防水ファスナー１７０のエレメント列１７１，１７２が噛み合うことによって防水面材１６０の右縁が右の防水シート１５０の内側（左側）の縁に連結される。
通常時には、左右の防水ファスナー１７０の第一エレメント列１７１と第二エレメント列１７２の噛み合いが解除されることによって、防水面材１６０の左右の縁を防水シート１５０から取り外すことができる。
【００９８】
防水ファスナー１７０を利用したので、防水面材１６０と防水シート１５０の着脱が容易になる。また、防水ファスナー１７０を閉じて、防水面材１６０を左右の防水シート１５０に止めれば、防水面材１６０の左側及び右側の止水性を確保することができる。
【００９９】
図１５、図１７、図１９及び図２０に示すように、防水面材１６０の下部には、止水板である止水部材１６１が取り付けられている。止水部材１６１は、防水面材１６０の下縁に沿って左右に延在するように帯板状に形成されている。止水部材１６１は、非可撓性の（硬質な）の部材である。止水部材１６１は、接着、溶着、締結等の接合方法によって防水面材１６０の一方の面の下縁に接合されている。止水部材１６１と防水面材１６０との接合界面には止水性及び水密性がある。
【０１００】
止水部材１６１の左右の長さが防水面材１６０の左右の長さよりも長く、止水部材１６１の左部及び右部が防水面材６０の左縁及び右縁からはみ出ている。止水部材１６１の前後両面及び下端面には、ゴム製のシール（パッキン）１６２が貼着されている。
【０１０１】
防水面材１６０の左右両側部の下端部には、ゴム製の第二シール（パッキン）１６３が配置されている。また、第二シール１６２は、防水面材１６０の縁から側方に延出している。第二シール１６２は防水面材１６０と止水部材１６１との間に挟まれている。第二シール１６２は止水部材１６１に接着されていることが好ましい。また、第二シール１６２は防水面材１６０及び第二エレメント列１７２に接着されていないことが好ましい。
【０１０２】
非常時には、止水部材１６１及びシール１６２が受入凹部１３３に嵌め込まれ、シール１６２によって受入凹部１３３が止水される。防水シート１５０の下縁部が受入凹部１３３に挿入され、その下縁部が止水部材１６１と受入凹部１３３の内面との間に挟持される。なお、シール１６２が受入凹部１３３の内面に貼着され、止水部材１６１が受入凹部１３３に嵌め込まれることによってシール１６２が止水部材１６１と受入凹部１３３の内面との間に挟み込まれても良い（図２１参照）。
通常時には、止水部材１６１及びシール１６２が受入凹部１３３から引き抜かれる。
【０１０３】
堰止構造１１０の組立手順について説明する。
まず、ロアカバー１８０を受入部材１３０から外すとともに、サイドカバー１９０をケーシング１４０から外す。
次に、左右の防水シート１５０を左右の収納凹部１４３から出入口１０２の中央部へ引き出して、これら防水シート１５０を伸ばす。この際、防水シート１５０の下縁部を受入凹部１３３に差し込むことが好ましい。
次に、防水面材１６０を左右の防水シート１５０の間に配置して、止水部材１６１及びシール１６２を受入凹部１３３に嵌め込む。この際、止水部材１６１と受入凹部１３３の内面との間に防水シート１５０の下縁部を挟み込むことが好ましい。
次に、左右の防水ファスナー１７０のエレメント列１７１，１７２の上端同士を組んだ後に、防水面材１６０を上に伸ばして広げながら、ファスナースライダー１７３をエレメント列１７１，１７２に沿って上から下へスライドさせる。ファスナースライダー１７３をエレメント列１７１，１７２の下端までスライドさせたら、ファスナースライダー１７３をエレメント列１７１，１７２の下端と第二シール１６３との間に入れ込み、ファスナースライダー１７３及びエレメント列１７１，１７２の下端が第二シール１６３に圧接される。これにより、防水ファスナー１７０の下端の止水性が向上する。
以上のように左右の防水ファスナー１７０を閉じることによって、左右の防水ファスナー１７０のエレメント列１７１，１７２が水密に噛み合って、防水面材１６０の左縁が左の防水シート１５０の内側（右側）の縁に連結され、防水面材１６０の右縁が右の防水シート１５０の内側（左側）の縁に連結される。これにより、防水面材１６０及び防水シート１５０からなる堰止壁が形成され、その堰止壁は出入口１０２内に広げられた状態且つ床部１０３に立てられた状態に設けられ、その堰止壁によって出入口１０２の下部が塞がれる（図１５参照）。
【０１０４】
ファスナースライダー１７３を下にスライドさせることで防水ファスナー１７０を閉じるようにしたので、既に浸水してしまった場合でもファスナースライダー１７３を水中で引き上げる作業が無い。また、ファスナースライダー１７３をエレメント列１７１，７２の下端まで移動させた時に、止水部材１６１を受入凹部１３３に押し込むことができ、受入凹部１３３から止水部材１６１が抜けるのを防止することができるとともに、止水部材１６１の浮き上がりを防止することができる。止水部材１６１を受入凹部１３３に押し込むことで、水圧によって防水ファスナー１７０が開くことを防止することができる。
【０１０５】
堰止構造１１０の解体手順について説明する。
まず、左右のファスナースライダー１７３を左右のエレメント列１７１，１７２に沿って上へスライドさせることによって、左右の防水ファスナー１７０を開く。これにより、防水面材１６０の左右の縁部を左右の防水シート１５０から取り外す。
次に、止水部材１６１及びシール１６２を受入凹部１３３から引き抜く。
次に、防水シート１５０を折り畳んで収納凹部１４３内に収納する。
次に、ロアカバー１８０によって受入凹部１３３に嵌め込んで、受入凹部１３３をロアカバー１８０で塞ぐ。
次に、サイドカバー１９０を収納凹部４３に被せて、防水シート１５０をサイドカバー１９０によって覆う。そして、サイドカバー１９０を固定具によって固定する。
次に、防水面材１６０を折り畳む。
【０１０６】
なお、第二実施形態の堰止構造１１０と第一実施形態の堰止構造１０との間で互いに対応する構成が一致して同一に設けられている場合には、それらの説明を可能な限り省略した。
【０１０７】
〔変形例〕
上記実施形態の変形例について説明する。変形例については、上述のように構成された堰止構造１１０から変更した点の説明をする。変更点以外は上述の堰止構造１１０の構成と同様であるので、変更点以外の説明を省略する。
【０１０８】
〔変形例Ａ〕
防水面材１６０が左右に長尺である場合、防水面材１６０の左右方向中央部が防水面材１６０の自重によって下に弛んでしまう。そこで、図２２に示すように、防水面材１６０の左右方向中央部の上部を吊り上げる。具体的には、出入口１０２の床部１０３の左右方向中央部に支柱１０５が立てられ、その支柱１０５にフック１０６が設けられ、防水面材１６０の左右方向中央部がフック１０６に引っ掛かっている。これにより、防水面材１６０の左右方向中央部の上部が吊り上げられ、防水面材１６０の中央部の弛みを抑えることができる。
支柱１０５は床部１０３に対して着脱可能であることが好ましい。
【０１０９】
また、防水面材１６０が左右に分割可能である。つまり、左右に二つに分かれた防水面材分割体１６４が防水ファスナー１７６によって連結されることによって防水面材１６０が構成される。防水ファスナー１７６のファスナースライダー１７９を上にスライドさせれば、防水ファスナー１７６が開いて、防水面材１６０を二つの防水面材分割体１６４に分割することができる。一方、防水ファスナー１７６のエレメント列の上端を組み付けて、ファスナースライダー１７９を下にスライドさせれば、防水面材分割体１６４が連結される。
【０１１０】
図２３に示すように、防水面材分割体１６４と防水面材分割体１６４の間の下部には、ゴム製の第三シール（パッキン）１０７が配置されている。第三シール１０７は、止水部材１６１の前後両面及び上端面に接着されていることが好ましい。また、第三シール１０７は防水面材１６０と止水部材１６１との間に挟まれているとともに、止水部材１６１と支柱１０５との間に挟まれている。また、第三シール１０７は防水面材分割体１６４及び防水ファスナー１７６のエレメント列に接着されていないことが好ましい。
そのため、ファスナースライダー１７９を防水ファスナー１７６のエレメント列の下端までスライドさせたら、ファスナースライダー１７９を防水ファスナー１７６のエレメント列の下端と第三シール１０７との間に入れ込むことができ、ファスナースライダー１７９及び防水ファスナー１７６のエレメント列の下端が第三シール１０７に圧接される。これにより、防水ファスナー１７６の下端の止水性が向上する。
【０１１１】
〔変形例Ｂ〕
止水部材１６１が平板であってもよいし、止水部材１６１が折り曲げられたものどもよい。
例えば、図２４、図２５に示すように、止水部材１６１の下部１６１ｂが上部１６１ａに対して折り曲げられた状態となっている。受入凹部１３３の前側の壁面及び後ろ側の壁面も傾斜しており、横方向に向かって、受入凹部１３３が鉛直面から傾くように床部１０３に形成されている。
【０１１２】
図２４に示す場合、受入凹部１３３が、鉛直面から出入口１０２の外側へ倒れた面に沿うように傾斜する。そのため、止水部材１６１の下部１６１ｂが上部１６１ａに対して出入口１０２の内向きに折れ曲がっており、その下部１６１ｂが受入凹部１３３に嵌め込まれている。
【０１１３】
図２５に示す場合、受入凹部１３３が鉛直面から出入口１０２の内側へ倒れた面に沿うように傾斜する。そのため、止水部材１６１の下部１６１ｂが上部１６１ａに対して出入口１０２の外向きに折れ曲がっており、その下部１６１ｂが受入凹部１３３に嵌め込まれている。
【０１１４】
受入部材１３０の下端から水平方向に延出した突片（フィン）１３４が受入部材１３０の下端に形成されており、突片１３４が床部１０３に埋められている。そのため、受入部材１３０が床部１０３から外れることを防止することができる。
【０１１５】
〔変形例Ｃ〕
上記実施形態では、止水部材１６１が受入凹部１３３に対して着脱可能であり、その止水部材１６１が受入凹部１３３に嵌め込まれることによって防水面材１６０の下部の止水性及び水密性を確保した。
【０１１６】
それに対して、図２６に示すように、床部１０３に受入凹部１３３が形成されていなくてもよい。この場合、板状の止水部材１６１に代えて、重力、磁力、粘着、面ファスナー等によって床部１０３に接合される止水部材１６３が防水面材１６０の下縁に沿って防水面材１６０の下部に設けられている。
【０１１７】
重力を利用した場合、止水部材１６３が錘であり、その止水部材１６３が床部１０３に載置されて、その止水部材１６３の重力によって止水部材１６３が床部１０３に密着する。これにより、止水部材１６３が水密性・止水性をもって床部１０３に接合される。なお、この場合、床部１０３のうち止水部材１６３と接触する部分がゴム弾性体であることが好ましい。
【０１１８】
磁力を利用した場合、床部１０３（特に止水部材１６３と接触する部分）及び止水部材１６３が磁性体又は磁石であり（但し、少なくとも一方は磁石である。）、その止水部材１６３が磁力によって床部１０３に密着する。これにより、止水部材１６３が水密性・止水性をもって床部１０３に接合される。必要に応じて、止水部材１６３の上に錘を載置し、止水部材１６３と床部１０３との間の水密性を高めてもよい。
【０１１９】
粘着を利用した場合、止水部材１６３が粘着テープであり、その止水部材１６３が粘着力に床部１０３に粘着する。これにより、止水部材１６３が水密性・止水性をもって床部１０３に接合される。必要に応じて、止水部材１６３の上に錘を載置し、止水部材１６３と床部１０３との間の水密性を高めてもよい。
【０１２０】
面ファスナーを利用した場合、止水部材１６３が面ファスナーのループ部とフック部の一方であり、面ファスナーのループ部とフック部の他方が床部１０３（特に止水部材１６３と接触する部分）に設けられ、止水部材１６３が床部１０３に貼着する。これにより、止水部材１６３が水密性・止水性をもって床部１０３に接合される。必要に応じて、止水部材１６３の上に錘を載置し、止水部材１６３と床部１０３との間の水密性を高めてもよい。
【０１２１】
〔変形例Ｄ〕
第一実施形態から上記変形例１〜７のように変更した部分を第二実施形態の堰止構造１１０に適用してもよい。また、上記変形例１〜７、変形例Ａ〜Ｃのように変更した部分を可能な限り組み合わせて、第二実施形態の堰止構造１１０適用してもよい。
【０１２２】
〔第三の実施の形態〕
図２７及び図２８は、建造物２０１の出入口２０２に設けられた堰止構造２１０を示した斜視図である。図２９は、出入口２０２の中心に沿った鉛直断面図である。図２７は、堰止構造２１０の防水機能を発揮できるように堰止構造２１０が組まれた状態を示す。図２８は、出入口２０２を通行可能なように堰止構造２１０が解体された状態を示す。
【０１２３】
建造物２０１及び出入口２０２は第一実施形態の建造物１及び出入口２と同じであるので、建造物２０１及び出入口２０２の説明を省略する。
【０１２４】
この堰止構造２１０は、下のケーシング（例えば凹型の部材）２３０、収納凹部２３３、左右一対のケーシング（例えば凹型の部材）２４０、左右一対の収納凹部２４３、左右一対の防水シート２５０、防水面材２６０、左右一対の防水ファスナー（防水性の線ファスナー）２７０、ロアカバー２８０及び左右一対のサイドカバー２９０等を備える。
【０１２５】
出入口２０２の左右の側部２０４にケーシング２４０がそれぞれ取り付けられることによって、収納凹部２４３が出入口２０２の左右の側部２０４にそれぞれ形成される。ケーシング２４０及び収納凹部２４３が第一実施形態のケーシング４０及び収納凹部４３と同じであるので、ケーシング２４０及び収納凹部２４３の詳細な説明を省略する。
出入口２０２の床部２０３にケーシング２３０が取り付けられることによって、収納凹部２３３が出入口２０２の床部２０３に形成される。ケーシング２３０及び収納凹部２３３が第一実施形態のケーシング４０及び収納凹部４３と同じであるので、ケーシング２３０及び収納凹部２３３の詳細な説明を省略する。
【０１２６】
通常時には、サイドカバー１９０がケーシング１４０に組み付けられ、非常時には、サイドカバー１９０がケーシング１４０から外される。また、通常時には、ロアカバー１８０がケーシング１３０に組み付けられ、非常時には、ロアカバー１８０がケーシング１３０から外される。サイドカバー１９０とケーシング１４０の組み付けは第一実施形態のサイドカバー９０とケーシング４０の組み付けと同じであり、ロアカバー１８０とケーシング１３０の組み付けは第一実施形態のロアカバー８０とケーシング３０の組み付けと同じであるので（図４、図６、図８、図９、図１０、図１１参照）、それらの組み付けの詳細な説明を省略する。
【０１２７】
可撓性の防水シート２５０は縦長の帯状に形成されている。左側の防水シート２５０の左縁部が出入口２０２の左側部２０４（より具体的にはケーシング１４０内）に水密性を有する状態に取り付けられ、右側の防水シート２５０の右縁部が出入口２０２の右側部（より具体的にはケーシング１４０内）に水密性を有する状態に取り付けられている。防水シート２５０とケーシング１４０の取付の構成は第一実施形態における側部帯状片５４とケーシング４０の取付の構成（図３、図４、図９、図１０、図１１、図１２、図１３参照）と同様であるので、防水シート１５０とケーシング１４０の取付の構成の詳細な説明を省略する。
【０１２８】
通常時には、防水シート２５０が折り畳まれた状態でケーシング２４０に収納され、防水シート２５０がサイドカバー２９０によって覆われている。非常時には、サイドカバー２９０がケーシング２４０から外され、防水シート２５０が収納凹部２４３から出入口２０２の中央部へ引き出されている（図２７参照）。
【０１２９】
防水面材２６０は長方形状又は正方形状に形作られている。防水面材２６０が遮水性を有する。防水面材２６０が可撓性を有するか、蛇腹状（例えば、平蛇腹状）に設けられていて積み重ねるように折り畳み可能である。なお、平蛇腹とは、複数の帯板（帯板自体が可撓性を有してもよいし、非可撓性でもよい）の長辺同士を可撓性材料で連結して、それら連結部において折り曲げ可能としたものである。
【０１３０】
防水面材２６０の下端が出入口２０２を左右に横切るようにして、二つのブラケット２３７によって収納凹部２３３内に取り付けられている。具体的には、ブラケット２３７は左右方向に向かって見てＬ字型の断面形状を有している。それらブラケット２３７が出入口２０２を左右に横切るようにして収納凹部２３３内に配置され、防水面材２６０の下端がそれらブラケット２３７の間に挟み込まれており、それらブラケット２３７がケーシング２３０のウエブ２３１に締結されている。防水面材２６０の下端が収納凹部２３３内に取り付けられることによって、防水面材２６０の下側の止水性を確保することができる。なお、図１２に示すように防水シート５０がブラケット４７、シール４８及びシール４９を用いてケーシング４０に取り付ける構成や、図１３に示すように防水シート５０の縁部分が折り曲げられた状態でブラケット４７を用いてケーシング４０に取り付ける構成を、防水面材２６０の下端部をケーシング２３０に取り付ける構成に適用してもよい。
【０１３１】
非常時には、防水面材２６０が上に引き伸ばされており、通常時には、防水面材２６０が折り畳まれた状態で収納凹部２３３内に収納される。
【０１３２】
非常時には、防水面材２６０は左右の防水ファスナー２７０によって左右の防水シート２５０にそれぞれ連結される。
ここで、左の防水ファスナー２７０は第一エレメント列２７１、第二エレメント列２７２及びファスナースライダー２７３等を有し、第一エレメント列２７１が左の防水シート２５０の内側（右側）の縁に沿って設けられ、第二エレメント列２７２が防水面材２６０の左縁に沿って設けられ、ファスナースライダー２７３が第一エレメント列２７１又は第二エレメント列２７２に沿ってスライドするように第一エレメント列２７１又は第二エレメント列２７２に取り付けられている。右の防水ファスナー２７０についても同様である。
【０１３３】
非常時には、左の防水ファスナー２７０のエレメント列２７１，２７２が噛み合うことによって防水面材１６０の左縁が左の防水シート１５０の内側（右側）の縁に連結され、右の防水ファスナー２７０のエレメント列２７１，２７２が噛み合うことによって防水面材２６０の右縁が右の防水シート２５０の内側（左側）の縁に連結される。
通常時には、左右の防水ファスナー２７０のエレメント列２７１，２７２の噛み合いが解除されることによって、防水面材２６０の左右の縁を防水シート２５０から外すことができる。
【０１３４】
防水ファスナー２７０を利用したので、防水面材２６０と防水シート２５０の着脱が容易になる。また、防水ファスナー２７０を閉じて、防水面材２６０を左右の防水シート２５０に止めれば、防水面材２６０の左側及び右側の止水性を確保することができる。
【０１３５】
なお、防水面材２６０の左右の縁の下端部が左右の防水シート２５０の内側の縁の下端部にそれぞれ連なっており、防水面材２６０及び左右の防水シート２５０が連続して一体に形成されていてもよい。この場合、防水シート２５０の縁のうち下端以外に第一エレメント列２７１が設けられ、防水面材２６０の左右の縁のうち下端以外に第二エレメント列２７２が設けられ、ファスナースライダー２７３を下までスライドさせても、エレメント列２７１，２７２の下端同士が噛み合っている。
【０１３６】
堰止構造２１０の組立手順について説明する。
まず、ロアカバー２８０をケーシング２３０から外すとともに、サイドカバー２９０をケーシング２４０から外す。
次に、左右の防水シート２５０を左右の収納凹部２４３から出入口２０２の中央部へ引き出して、これら防水シート２５０を伸ばす。
次に、防水面材２６０を収納凹部２３３から上へ引き出す。
次に、防水面材２６０を上に伸ばして広げながら、ファスナースライダー２７３をエレメント列２７１，２７２に沿ってスライドさせる。そうすると、左右の防水ファスナー２７０のエレメント列２７１，２７２が水密に噛み合う。これにより、防水面材２６０の左縁が左の防水シート２５０の内側（右側）の縁に連結され、防水面材２６０の右縁が右の防水シート２５０の内側（左側）の縁に連結される。そのため、防水面材２６０及び防水シート２５０からなる堰止壁が形成され、その堰止壁は出入口２０２内に広げられた状態且つ床部２０３に立てられた状態に設けられ、その堰止壁によって出入口２０２の下部が塞がれる（図２７参照）。
【０１３７】
堰止構造２１０の解体手順について説明する。
まず、左右のファスナースライダー２７３を左右のエレメント列２７１，２７２に沿ってスライドさせることによって、左右の防水ファスナー２７０を開く。
次に、防水シート２５０を折り畳んで収納凹部２４３内に収納する。
次に、防水面材２６０を折り畳んで、防水面材２６０を収納凹部２３３内に収納する。
次に、サイドカバー２９０を収納凹部２４３に被せて、防水シート２５０をサイドカバー２９０によって覆う。そして、サイドカバー２９０を固定具２９３によって固定する。
次に、ロアカバー２８０を収納凹部２３３に被せて、防水面材２６０をロアカバー２８０によって覆う。そして、ロアカバー２８０を固定具２８３によって固定する。
【０１３８】
なお、第三実施形態の堰止構造２１０と第一実施形態の堰止構造１０との間で互いに対応する構成が一致して同一に設けられている場合には、それらの説明を可能な限り省略した。
【０１３９】
〔変形例〕
第一実施形態から上記変形例１〜７のように変更した部分を第三実施形態の堰止構造２１０に適用してもよい。また、上記変形例１〜７のように変更した部分を可能な限り組み合わせて、第三実施形態の堰止構造２１０に適用してもよい。
【符号の説明】
【０１４０】
１，１０１，２０１  建造物
２，１０２，２０２  出入口
３，１０３，２０３  床部
４，１０４，２０４  側部
１０，１１０，２１０  堰止構造
５０，１５０，２５０  防水シート
６０，１６０，２６０  防水面材
３３，２３３  収納凹部
４３，１４３，２４３  収納凹部
７０，１７０，２７０  防水ファスナー
７１，１７１，２７１  第一エレメント列
７２，１７２，２７２  第二エレメント列
８０，１８０，２８０  ロアカバー
９０，１９０，２９０  サイドカバー
１６１，１６３  止水部材
１３３  受入凹部
【図１】
2015151693.tif 000003
【図２】
2015151693.tif 000004
【図３】
2015151693.tif 000005
【図４】
2015151693.tif 000006
【図５】
2015151693.tif 000007
【図６】
2015151693.tif 000008
【図７】
2015151693.tif 000009
【図８】
2015151693.tif 000010
【図９】
2015151693.tif 000011
【図１０】
2015151693.tif 000012
【図１１】
2015151693.tif 000013
【図１２】
2015151693.tif 000014
【図１３】
2015151693.tif 000015
【図１４】
2015151693.tif 000016
【図１５】
2015151693.tif 000017
【図１６】
2015151693.tif 000018
【図１７】
2015151693.tif 000019
【図１８】
2015151693.tif 000020
【図１９】
2015151693.tif 000021
【図２０】
2015151693.tif 000022
【図２１】
2015151693.tif 000023
【図２２】
2015151693.tif 000024
【図２３】
2015151693.tif 000025
【図２４】
2015151693.tif 000026
【図２５】
2015151693.tif 000027
【図２６】
2015151693.tif 000028
【図２７】
2015151693.tif 000029
【図２８】
2015151693.tif 000030
【図２９】
2015151693.tif 000031